(57)【要約】【課題】車両にレーダー装置を搭載する際に用いられるアダプターであって、アダプター及びレーダー装置の設置スペースを小さくすることが可能なアダプターを提供する。【解決手段】本発明に係るアダプターは、車両の取付部に取り付けられ、レーダー装置を保持するアダプターであって、貫通する少なくとも３つの雌ネジ部が形成されており、一端が前記車両の前記取付部に回転自在及び角度変更自在に取り付けられ、前記雌ネジ部とかみ合う雄ネジ部が形成された調整ボルトを少なくとも３本備えている。【選択図】図３
2020101469.tif 000002
【特許請求の範囲】
【請求項１】
車両の取付部に取り付けられ、レーダー装置（６０）を保持するアダプター（１００）であって、
貫通する少なくとも３つの雌ネジ部（３０）が形成されており、
一端が前記車両の前記取付部に回転自在及び角度変更自在に取り付けられ、前記雌ネジ部（３０）とかみ合う雄ネジ部（４１）が形成された調整ボルト（４０）を少なくとも３本備えている
アダプター（１００）。
【請求項２】
前記調整ボルト（４０）の他端の断面形状が多角形状である
請求項１に記載のアダプター（１００）。
【請求項３】
前記少なくとも３つの雌ネジ部（３０）に前記調整ボルト（４０）が取り付けられた際、これらの前記調整ボルト（４０）は、前記レーダー装置（６０）の外周側に配置される
請求項１又は請求項２に記載のアダプター（１００）。
【請求項４】
前記車両の前記取付部の貫通穴に挿入された固定用ボルトがねじ込まれる固定用雌ネジ部（３１）が形成されている
請求項１〜請求項３のいずれか一項に記載のアダプター（１００）。
【発明の詳細な説明】
【技術分野】
【０００１】
本発明は、レーダー装置を保持するアダプターに関する。
【背景技術】
【０００２】
従来、車両には、障害物を検知するために、レーザーレーダー又はミリ波レーダー等を用いたレーダー装置が搭載されているものが存在する。レーダー装置は、例えば、ＡＣＣシステム（アダプティブ・クルーズ・コントロール・システム）、Ｓｔｏｐ＆Ｇｏシステム（渋滞追従システム）、及び車間警報システム等に使用される。
【０００３】
このようなレーダー装置は、アダプターに保持されて、車両の取付部に取り付けられる。また、アダプターには、車両の取付部に対してレーダー装置の検出軸の角度を調整するため、取付部に対するアダプターの角度を調整する調整機構を備えているものも提案されている（特許文献１参照）。
【先行技術文献】
【特許文献】
【０００４】
【特許文献１】特開２００２−３０３６７２号公報
【発明の概要】
【発明が解決しようとする課題】
【０００５】
車両の取付部にアダプター及びレーダー装置を取り付けるには、取付部の周辺に、アダプター及びレーダー装置の設置スペースを確保する必要がある。設置スペースには、アダプター及びレーダー装置が占めるスペースに加え、取付部に対するアダプターの角度を調整するために必要なスペースも含まれる。また、車両の取付部及び該取付部周辺の構造によっては、アダプターを取付部の前方に配置した方がアダプター及びレーダー装置の設置スペースを小さくできる場合と、アダプターを取付部の後方に配置した方がアダプター及びレーダー装置の設置スペースを小さくできる場合とがある。
【０００６】
しかしながら、従来のアダプターは、アダプターの前方からのみ、取付部に対するアダプターの角度を調整できる構成となっていた。このため、従来のアダプターは、車両の取付部の前方にしか配置することができなかった。したがって、従来のアダプターは、車両の取付部及び該取付部周辺の構造によっては、アダプター及びレーダー装置の設置スペースが大きくなってしまうという課題があった。
【０００７】
本発明は、上述の課題を背景としてなされたものであり、車両にレーダー装置を搭載する際に用いられるアダプターであって、アダプター及びレーダー装置の設置スペースを小さくすることが可能なアダプターを提供することを目的とする。
【課題を解決するための手段】
【０００８】
本発明に係るアダプターは、車両の取付部に取り付けられ、レーダー装置を保持するアダプターであって、貫通する少なくとも３つの雌ネジ部が形成されており、一端が前記車両の前記取付部に回転自在及び角度変更自在に取り付けられ、前記雌ネジ部とかみ合う雄ネジ部が形成された調整ボルトを少なくとも３本備えている。
【発明の効果】
【０００９】
本発明に係るアダプターは、雌ネジ部への調整ボルトの挿入方向を変更することにより、アダプターの前方及び後方の両側から車両の取付部に対するアダプターの角度を調整することができる。すなわち、本発明に係るアダプターは、車両の取付部の前方及び後方の双方に配置することができる。このため、本発明に係るアダプターは、アダプター及びレーダー装置の設置スペースを小さくすることができる。
【図面の簡単な説明】
【００１０】
【図１】本発明の実施の形態に係るアダプターの分解斜視図である。
【図２】本発明の実施の形態に係るアダプターの組立斜視図である。
【図３】本発明の実施の形態に係るアダプターでレーダー装置を保持した状態を示す斜視図である。
【図４】本発明の実施の形態に係るアダプターでレーダー装置を保持した状態を示す斜視図である。
【図５】本発明の実施の形態に係るアダプターの組立斜視図である。
【発明を実施するための形態】
【００１１】
以下、本発明に係るアダプターについて、図面を用いて説明する。
なお、以下で説明する構成及び動作等は一例であり、本発明に係るアダプターは、そのような構成及び動作等である場合に限定されない。また、各図においては、同一の又は類似する部材又は部分に対して、同一の符号を付している場合又は符号を付すことを省略している場合がある。また、細かい構造については、適宜図示を簡略化又は省略している。
【００１２】
実施の形態．
以下に、本実施の形態に係るアダプターについて説明する。
【００１３】
＜アダプターの構成＞
図１は、本発明の実施の形態に係るアダプターの分解斜視図である。図２は、本発明の実施の形態に係るアダプターの組立斜視図である。また、図３は、本発明の実施の形態に係るアダプターでレーダー装置を保持した状態を示す斜視図である。
【００１４】
本実施の形態に係るアダプター１００は、車両の取付部に取り付けられ、レーダー装置６０を保持するアダプターである。車両とは、エンジン及び電動モータのうちの少なくとも１つを駆動源とする自転車、自動二輪車、自動三輪車及び自動四輪車等である。なお、自転車とは、ペダルに付与される踏力によって路上を推進することが可能な乗物全般を意味している。つまり、自転車には、普通自転車、電動アシスト自転車、電動自転車等が含まれる。また、自動二輪車又は自動三輪車は、いわゆるモーターサイクルを意味し、モーターサイクルには、オートバイ、スクーター、電動スクーター等が含まれる。また、車両の取付部とは、車両に設けられた、アダプター１００を取り付けるためのブラケット等である。
【００１５】
ここで、アダプター１００を説明するに際し、略直方体形状のレーダー装置６０の各部を次のように定義する。送受信面６５を前面とし、送受信面６５と対向する面を背面とする。送受信面６５と背面とを接続する側面部のうち、後述する第１部品１０の第１支持部１２と接触する側面部を、第１側面部６１とする。本実施の形態の場合、レーダー装置６０の底面部が第１側面部６１となっている。また、送受信面６５と背面とを接続する側面部のうち、後述する第２部品２０の第２支持部２２と接触する側面部を、第２側面部６２とする。本実施の形態の場合、レーダー装置６０の上面部が第２側面部６２となっている。また、送受信面６５と背面とを接続する側面部のうち、第１側面部６１及び第２側面部６２以外の残りの側面部を、第３側面部６３及び第４側面部６４とする。本実施の形態の場合、左側側面部が第３側面部６３となっており、右側側面部が第４側面部６４となっている。
【００１６】
アダプター１００は、第１部品１０及び第２部品２０を備えている。
【００１７】
第１部品１０は、基部１１と、該基部１１から前方へ突出する第１支持部１２とを備えている。基部１１は、レーダー装置６０の背面と対向して配置される。第１支持部１２は、レーダー装置６０の第１側面部６１と接触し、該第１側面部６１を支持する。ここで、本実施の形態では、アダプター１００に保持されるレーダー装置６０は、第１側面部６１に、図示せぬ制御装置と配線接続する際に用いられるコネクター６６が設けられている。このため、第１支持部１２には、第１支持部１２とコネクター６６とが干渉しないように、貫通孔１６が形成されている。すなわち、アダプター１００でレーダー装置６０を保持する際、コネクター６６は貫通孔１６に挿入される。なお、第１支持部１２に、貫通孔１６に換えて切り欠きを形成し、第１支持部１２とコネクター６６とが干渉しないようにしてもよい。
【００１８】
また、第１部品１０の例えば基部１１には、第２部品２０と対向する位置に、雌ネジ部１３が形成されている。雌ネジ部１３は、雄ネジ１を用いて第１部品１０へ第２部品２０をネジ止め固定する際、雄ネジ１がねじ込まれる雌ネジ部である。雌ネジ部１３の数は特に限定されないが、基部１１の両端に雌ネジ部１３が少なくとも１つずつ形成されているとよい。
【００１９】
また、本実施の形態に係る第１部品１０は、基部１１から前方へ突出する側壁１４及び側壁１５を備えている。側壁１４は、レーダー装置６０の第３側面部６３と対向して配置される。側壁１５は、レーダー装置６０の第４側面部６４と対向して配置される。すなわち、本実施の形態では、側壁１４と側壁１５とは、横方向に対向している。後述のように、アダプター１００は、レーダー装置６０を第１部品１０及び第２部品２０によって上下方向に挟持し、レーダー装置６０を保持する。この際、アダプター１００は、横方向にレーダー装置６０が移動することを規制するのに十分な保持力で、レーダー装置６０を保持することができる。このため、側壁１４及び側壁１５は、必須の構成ではない。しかしながら、側壁１４及び側壁１５を備えることにより、レーダー装置６０が横方向に移動することをより規制でき、アダプター１００からレーダー装置６０が外れることをより抑制できる。
【００２０】
なお、側壁１４と側壁１５との間の間隔は、レーダー装置６０の第３側面部６３と第４側面部６４との間の長さよりも長くてもよい。これにより、図３に示すレーダー装置６０よりも第３側面部６３と第４側面部６４との間の長さが長いレーダー装置６０を、同一のアダプター１００で保持することが可能となる。すなわち、アダプター１００の汎用性が高くなる。また、側壁１４及び側壁１５を設けないことによっても、図３に示すレーダー装置６０よりも第３側面部６３と第４側面部６４との間の長さが長いレーダー装置６０を、同一のアダプター１００で保持することが可能となる。すなわち、アダプター１００の汎用性が高くなる。
【００２１】
第２部品２０は、基部２１と、該基部２１から前方へ突出する第２支持部２２とを備えている。基部２１は、第１部品１０と対向して配置される。なお、本実施の形態では基部２１はレーダー装置６０の背面と対向していないが、基部２１を下方へ延ばし、基部２１の一部をレーダー装置６０の背面と対向して配置してもよい。第２支持部２２は、レーダー装置６０の第２側面部６２と接触し、該第２側面部６２を支持する。また、第２部品２０の例えば基部２１には、第１部品１０の雌ネジ部１３と対向する位置に、雄ネジ１が挿入される貫通孔２３が形成されている。貫通孔２３は、雌ネジ部１３と同数形成されている。
【００２２】
第２部品２０の貫通孔２３に雄ネジ１を挿入し、該雄ネジ１を第１部品１０の雌ネジ部１３へねじ込んでいくことにより、第２部品２０は第１部品１０にネジ止め固定される。そして、第２部品２０が第１部品１０にネジ止め固定された際、レーダー装置６０は、第１部品１０の第１支持部１２と第２部品２０の第２支持部２２とで挟持される。これにより、上下方向に作用するネジの締結力が保持力となり、レーダー装置６０は、アダプター１００に保持されることとなる。
【００２３】
なお、アダプター１００は、コネクター６６の位置が異なる複数のレーダー装置６０を、同一のアダプター１００で保持することもできる。
【００２４】
図４は、本発明の実施の形態に係るアダプターでレーダー装置を保持した状態を示す斜視図である。
図４に示すレーダー装置６０は、第３側面部６３にコネクター６６が設けられている。このようなレーダー装置６０を保持する場合でも、アダプター１００とコネクター６６とが干渉しないようにすれば、図１〜図３で示したアダプター１００を用いることができる。なお、図４で示すアダプター１００は、第３側面部６３に設けられているコネクター６６との干渉を避けるため、図１及び図２等に示すように、第３側面部６３と対向する側壁１４に切り欠き１７が形成されている。
【００２５】
また、本実施の形態に係るアダプター１００は、車両の取付部に対してレーダー装置６０の検出軸の角度を調整するための調整機構を備えている。具体的には、アダプター１００は、調整機構として、３つの雌ネジ部３０と、３本の調整ボルト４０を備えている。雌ネジ部３０のそれぞれは、例えば前後方向に貫通するように、第１部品１０に形成されている。調整ボルト４０のそれぞれには、雌ネジ部３０とかみ合う雄ネジ部４１が形成されている。また、雄ネジ部４１の端部には、断面形状が例えば多角形状となった工具接続部４２が設けられている。すなわち、調整ボルト４０の雄ネジ部４１を第１部品１０の雌ネジ部３０にねじ込み、工具接続部４２に工具を接続して調整ボルト４０を回すことにより、調整ボルト４０は、雌ネジ部３０の貫通方向に、第１部品１０に対して相対移動可能となっている。
【００２６】
また、調整ボルト４０の工具接続部４２とは反対側の端部である一端は、車両の取付部に、回転自在及び角度変更自在に取り付けられる。調整ボルト４０が車両の取付部に対して回転自在及び角度変更自在となっていれば、調整ボルト４０の一端と車両の取付部との取り付け構成は、特に限定されない。２つの連結部品が回転自在及び角度変更自在に連結されている、種々の構成のユニバーサルジョイントが知られている。例えば、このようなユニバーサルジョイントの公知の連結構成を用いて、調整ボルト４０の一端を、車両の取付部に回転自在及び角度変更自在に取り付けてもよい。
【００２７】
本実施の形態では、調整ボルト４０と共にユニバーサルジョイントを構成する取り付け部品５０を用いて、調整ボルト４０の一端を、車両の取付部に回転自在及び角度変更自在に取り付けている。取り付け部品５０は、アダプター１００の付属部品であってもよいし、車両の付属部品であってもよい。詳しくは、調整ボルト４０の工具接続部４２とは反対側の端部には、外周部の一部が球形状となった球頭部４３が形成されている。また、取り付け部品５０は、調整ボルト４０の球頭部４３を回転自在及び角度変更自在に保持する保持部５１を備えている。なお、保持部５１が球頭部４３を保持する構成は、特に限定されない。保持部５１が球頭部４３を保持する構成として、ユニバーサルジョイントにおいて球頭部を回転自在及び角度変更自在に保持する公知の種々の構成を用いることができる。球頭部４３と保持部５１とが、着脱自在であってもよく、また、着脱不能であってもよい。
【００２８】
第１部品１０の雌ネジ部３０のそれぞれに調整ボルト４０の雄ネジ部４１をねじ込み、調整ボルト４０と同数の取り付け部品５０を車両の取付部に取り付け、各取り付け部品５０の保持部５１に各調整ボルト４０の球頭部４３を保持させることにより、アダプター１００が車両の取付部に取り付けられる。なお、車両の取付部への取り付け部品５０の取り付け構成は特に限定されないが、本実施の形態では、次のような取り付け構成となっている。取り付け部品５０は、高さの異なる第１鍔部５２及び第２鍔部５３を備えている。第１鍔部５２と第２鍔部５３との間に、車両の取付部の板部材を挟み込むことにより、取り付け部品５０は、車両の取付部に取り付けられる。
【００２９】
アダプター１００が車両の取付部に取り付けられた状態において、工具接続部４２に工具を接続して各調整ボルト４０を回すことにより、各調整ボルト４０の位置において、アダプター１００と車両の取付部との距離を変更できる。これにより、車両の取付部に対するアダプター１００の角度を調整できる。すなわち、車両の取付部に対して、アダプター１００に保持されたレーダー装置６０の検出軸の角度を調整できる。
【００３０】
なお、図１〜図４に示すように、第１部品１０の後方から雌ネジ部３０に調整ボルト４０の雄ネジ部４１をねじ込んだ場合、アダプター１００は車両の取付部の前方に配置され、調整ボルト４０の工具接続部４２は第１部品１０の前方へ突出することとなる。このため、アダプター１００の前方から、車両の取付部に対するアダプター１００の角度を調整することとなる。しかしながら、アダプター１００の前方からの角度調整の仕方は一例である。
【００３１】
図５は、本発明の実施の形態に係るアダプターの組立斜視図である。
図５に示すように、第１部品１０の前方から雌ネジ部３０に調整ボルト４０の雄ネジ部４１をねじ込んだ場合、アダプター１００は車両の取付部の後方に配置され、調整ボルト４０の工具接続部４２は第１部品１０の後方へ突出することとなる。このため、アダプター１００の後方から、車両の取付部に対するアダプター１００の角度を調整することができる。
【００３２】
すなわち、本実施の形態に係るアダプター１００は、アダプター１００の前方及び後方の両側から、換言するとレーダー装置６０の前方及び後方の両側から、車両の取付部に対するアダプター１００の角度を調整することができる。車両の取付部及び該取付部周辺の構造によって、アダプター１００を取付部の前方に配置した方がアダプター１００及びレーダー装置６０の設置スペースを小さくできる場合と、アダプター１００を取付部の後方に配置した方がアダプター１００及びレーダー装置６０の設置スペースを小さくできる場合とがある。本実施の形態に係るアダプター１００は、アダプター１００の前方及び後方の両側から車両の取付部に対するアダプター１００の角度を調整することができるので、アダプター１００及びレーダー装置６０の設置スペースを小さくすることができる。
【００３３】
なお、本実施の形態に係るアダプター１００は、３つの雌ネジ部３０と、３本の調整ボルト４０とを備えていた。しかしながら、雌ネジ部３０の数は３つに限定されず、調整ボルト４０の数も３本に限定されない。少なくとも３箇所においてアダプター１００と車両の取付部との距離を調整できれば、車両の取付部に対するアダプター１００の角度を調整できる。このため、雌ネジ部３０は、少なくとも３つあれば、４つ以上でもよい。同様に、調整ボルト４０は、少なくとも３本あれば、４本以上でもよい。
【００３４】
ここで、本実施の形態に係るアダプター１００は、全ての雌ネジ部３０が第１部品１０に設けられていた。これに限らず、雌ネジ部３０の一部が第２部品２０に設けられていてもよい。しかしながら、全ての雌ネジ部３０を第１部品１０に設けることにより、以下のような効果を得ることができる。詳しくは、第１部品１０及び第２部品２０の対向方向である上下方向の長さが異なるレーダー装置６０を保持する際、同一の第１部品１０を用い、第２部品２０の形状を変更させるとする。このようにした場合、上下方向の長さが異なるレーダー装置６０毎に、車両の取付部での調整ボルト４０の取り付け位置を変更しなくてもよくなるので、アダプター１００の汎用性が高くなる。
【００３５】
なお、全ての雌ネジ部３０が第２部品２０に設けられていても、同様の効果を得ることができる。詳しくは、上下方向の長さが異なるレーダー装置６０を保持する際、同一の第２部品２０を用い、第１部品１０の形状を変更させるとする。このようにした場合、上下方向の長さが異なるレーダー装置６０毎に、車両の取付部での調整ボルト４０の取り付け位置を変更しなくてもよくなるので、アダプター１００の汎用性が高くなる。
【００３６】
また、全ての雌ネジ部３０を第１部品１０に設けることにより、第１部品１０に第２部品２０をネジ止め固定する前に、換言するとアダプター１００でレーダー装置６０を保持する前に、車両の取付部に対するアダプター１００の角度を調整できる。すなわち、アダプター１００でレーダー装置６０を保持する前の状態と、アダプター１００でレーダー装置６０を保持した後の状態との双方で、車両の取付部に対するアダプター１００の角度を調整できる。このため、車両の取付部に対するアダプター１００の角度の調整作業が容易となる。なお、全ての雌ネジ部３０が第２部品２０に設けられていても、同様の効果を得ることができる。
【００３７】
また、本実施の形態に係るアダプター１００においては、雌ネジ部３０に調整ボルト４０が取り付けられた際、調整ボルト４０のそれぞれは、レーダー装置６０の外周側に配置される。このような構成とすることにより、アダプター１００でレーダー装置６０を保持する前の状態と、アダプター１００でレーダー装置６０を保持した後の状態との双方で、車両の取付部に対するアダプター１００の角度を調整できる。このため、車両の取付部に対するアダプター１００の角度の調整作業が容易となる。
【００３８】
また、本実施の形態に係るアダプター１００には、車両の取付部の貫通穴に挿入された固定用ボルトがねじ込まれる固定用雌ネジ部３１が形成されている。このため、車両の取付部に対するアダプター１００の角度を調整する必要がない場合、調整ボルト４０を用いずに、アダプター１００を車両の取付部に取り付けることができる。このため、本実施の形態に係るアダプター１００は、車両の取付部に対するアダプター１００の角度を調整する必要がない場合、固定用雌ネジ部３１が形成されていないアダプターと比べ、小型化することができる。すなわち、アダプター１００及びレーダー装置６０の取り付けが容易となる。なお、固定用雌ネジ部３１の数は特に限定されないが、本実施の形態では、３つの固定用雌ネジ部３１が形成されている。
【００３９】
また、本実施の形態に係るアダプター１００は、全ての固定用雌ネジ部３１が第１部品１０に形成されている。このため、アダプター１００でレーダー装置６０を保持する前の状態と、アダプター１００でレーダー装置６０を保持した後の状態との双方で、アダプター１００を車両の取付部に取り付けることができる。したがって、車両の取付部へのアダプター１００の取り付けがさらに容易となる。
【００４０】
＜アダプターでのレーダー装置の保持方法＞
続いて、アダプター１００でレーダー装置６０を保持する方法について説明する。
まず、第１部品１０と第２部品２０とでレーダー装置６０を挟む。そして、第２部品２０の貫通孔２３に雄ネジ１を挿入し、該雄ネジ１を第１部品１０の雌ネジ部１３へねじ込んでいき、第２部品２０を第１部品１０にネジ止め固定する。これにより、レーダー装置６０は、第１部品１０の第１支持部１２と第２部品２０の第２支持部２２とで挟持され、アダプター１００に保持される。
【００４１】
＜車両の取付部へのアダプターの取り付け方法＞
続いて、車両の取付部へのアダプター１００の取り付け方法について説明する。車両の取付部に対してアダプター１００の角度を調整する必要がある場合、アダプター１００は、調整ボルト４０を用いて、車両の取付部に取り付けられる。車両の取付部へのアダプター１００の取り付けは、アダプター１００でレーダー装置６０を保持する前に、あるいはアダプター１００でレーダー装置６０を保持した後に行われる。
【００４２】
まず、第１部品１０の雌ネジ部３０のそれぞれに調整ボルト４０の雄ネジ部４１をねじ込み、雄ネジ部４１と同数の取り付け部品５０を車両の取付部に取り付ける。そして、各取り付け部品５０の保持部５１に各雄ネジ部４１の球頭部４３を保持させ、アダプター１００を車両の取付部に取り付ける。なお、各取り付け部品５０の保持部５１に各雄ネジ部４１の球頭部４３を保持させた後、取り付け部品５０を車両の取付部に取り付けてもよい。
【００４３】
アダプター１００を車両の取付部に取り付けた後、工具接続部４２に工具を接続して各調整ボルト４０を回すことにより、各調整ボルト４０の位置において、アダプター１００と車両の取付部との距離を変更する。これにより、車両の取付部に対するアダプター１００の角度を調整できる。
【００４４】
車両の取付部に対してアダプター１００の角度を調整する必要がない場合、アダプター１００は、調整ボルト４０を用いずに、車両の取付部に取り付けられる。車両の取付部へのアダプター１００の取り付けは、アダプター１００でレーダー装置６０を保持する前に、あるいはアダプター１００でレーダー装置６０を保持した後に行われる。
【００４５】
まず、車両の取付部の貫通穴に固定用ボルトを挿入する。そして、各雌ネジ部３０から調整ボルト４０を取り外した状態で、車両の取付部の貫通穴に挿入された固定用ボルトをアダプター１００の固定用雌ネジ部３１にねじ込んでいき、アダプター１００を車両の取付部に取り付ける。
【００４６】
＜アダプターの効果＞
本実施の形態に係るアダプター１００は、車両の取付部に取り付けられ、レーダー装置６０を保持するアダプターである。アダプター１００には、貫通する少なくとも３つの雌ネジ部３０が形成されている。そして、アダプター１００は、一端が車両の取付部に回転自在及び角度変更自在に取り付けられ、雌ネジ部３０とかみ合う雄ネジ部４１が形成された調整ボルト４０を少なくとも３本備えている。
【００４７】
本実施の形態に係るアダプター１００は、雌ネジ部３０への調整ボルト４０の挿入方向を変更することにより、アダプター１００の前方及び後方の両側から車両の取付部に対するアダプター１００の角度を調整することができる。すなわち、本実施の形態に係るアダプター１００は、車両の取付部の前方及び後方の双方に配置することができる。このため、本実施の形態に係るアダプター１００は、アダプター１００及びレーダー装置６０の設置スペースを小さくすることができる。
【００４８】
好ましくは、調整ボルト４０の他端の断面形状が多角形状である。そのように構成されることで、調整ボルト４０の他端に工具接続部４２を形成して、取付作業を簡素化することが可能となる。
【００４９】
好ましくは、少なくとも３つの雌ネジ部３０に調整ボルト４０が取り付けられた際、すなわち全ての雌ネジ部３０に調整ボルト４０が取り付けられた際、これらの調整ボルト４０は、レーダー装置６０の外周側に配置される。このようにアダプター１００を構成することにより、アダプター１００でレーダー装置６０を保持する前の状態と、アダプター１００でレーダー装置６０を保持した後の状態との双方で、車両の取付部に対するアダプター１００の角度を調整できる。このため、車両の取付部に対するアダプター１００の角度の調整作業が容易となる。
【００５０】
好ましくは、アダプター１００には、車両の取付部の貫通穴に挿入された固定用ボルトがねじ込まれる固定用雌ネジ部３１が形成されている。このようにアダプター１００を構成することにより、車両の取付部に対するアダプター１００の角度を調整する必要がない場合、固定用雌ネジ部３１が形成されていないアダプターと比べ、アダプター１００を小型化することができる。
【００５１】
以上、本実施の形態に係るアダプター１００について説明したが、本発明に係るアダプターは、本実施の形態の説明に限定されるものではなく、本実施の形態の一部のみが実施されてもよい。例えば、本実施の形態に係るアダプター１００は、第１部品１０及び第２部品２０という２部品で、レーダー装置６０を保持した。しかしながら、この構成は、あくまでも一例である。従来、基部から前方に突出した係止爪によってレーダー装置を保持する１部品構成のアダプター等、レーダー装置を保持するアダプターとして、種々の構成のアダプターが提案されている。本発明に係るアダプターには、レーダー装置を保持する構成として、種々の構成を採用することができる。すなわち、本発明に係るアダプターは、レーダー装置を保持する構成にかかわらず、上述の効果を得ることができる。
【符号の説明】
【００５２】
１  雄ネジ、１０  第１部品、１１  基部、１２  第１支持部、１３  雌ネジ部、１４  側壁、１５  側壁、１６  貫通孔、１７  切り欠き、２０  第２部品、２１  基部、２２  第２支持部、２３  貫通孔、３０  雌ネジ部、３１  固定用雌ネジ部、４０  調整ボルト、４１  雄ネジ部、４２  工具接続部、４３  球頭部、５０  取り付け部品、５１  保持部、５２  第１鍔部、５３  第２鍔部、６０  レーダー装置、６１  第１側面部、６２  第２側面部、６３  第３側面部、６４  第４側面部、６５  送受信面、６６  コネクター、１００  アダプター。
【図１】
2020101469.tif 000003
【図２】
2020101469.tif 000004
【図３】
2020101469.tif 000005
【図４】
2020101469.tif 000006
【図５】
2020101469.tif 000007